(57)【要約】【課題】印字情報量に応じて可変長となる台紙レスラベルや規定長さ以上のラベルであったとしても、高効率で、商品の底面等の所定の面に正しく貼付可能な、簡単な構造のラベル貼付装置、及び包装装置を提供する。【解決手段】ラベル貼付装置は、一方面が印字面、他方面が粘着面からなるラベル用紙を巻回したラベルロールを繰り出し、その繰り出したラベル用紙の粘着面が上向きとなるように枚葉状のラベルを発行し、被貼付物の底面にラベルを貼付させる。このラベル貼付装置は、発行されたラベルの粘着面の略全領域を露出させた状態で、被貼付物の底面にラベルを貼付するためのラベル待機位置に、ラベルを保持し待機させるラベル貼付待機領域部を有する。【選択図】図７
2018034848.tif 000002
【特許請求の範囲】
【請求項１】
一方面が印字面、他方面が粘着面からなるラベル用紙を巻回したラベルロールを繰り出し、該繰り出したラベル用紙の粘着面が上向きとなるように枚葉状のラベルを発行し、被貼付物の底面にラベルを貼付させるラベル貼付装置であって、
前記発行されたラベルの粘着面の略全領域を露出させた状態で、前記被貼付物の底面にラベルを貼付するためのラベル待機位置に、前記ラベルを保持し待機させるラベル貼付待機領域部を有することを特徴とする
ラベル貼付装置。
【請求項２】
前記ラベルの印字面側を搬送面に吸着保持する吸着保持部と、
前記発行されたラベルを受け取り、前記受け取ったラベルの印字面側を前記吸着保持部により水平面と平行な搬送面に吸着保持した状態で前記ラベル待機位置まで搬送するとともに、前記ラベルを前記ラベル貼付待機領域部の前記ラベル待機位置で保持する水平搬送用ラベル搬送部と、を備えたことを特徴とする請求項１に記載のラベル貼付装置。
【請求項３】
搬送方向の上流から下流側に亘り水平面に対して傾斜した搬送面を有し、前記発行されたラベルを前記搬送面に沿って下流側の前記水平搬送用ラベル搬送部へ搬送する傾斜搬送用ラベル搬送部を備えたことを特徴とする請求項２に記載のラベル貼付装置。
【請求項４】
前記傾斜搬送用ラベル搬送部の搬送下流側に配置され、搬送される枚葉状のラベルの存否を検出する第１検出部と、
前記水平搬送用ラベル搬送部において枚葉状のラベルの存否を検出する第２検出部と、
前記第１検出部により前記傾斜搬送用ラベル搬送部にラベルが検出された後、前記第２検出部により前記水平搬送用ラベル搬送部にラベルが検出された場合には前記傾斜搬送用ラベル搬送部及び前記水平搬送用ラベル搬送部を停止する制御を行う制御部と、
を備えたことを特徴とする請求項３に記載のラベル貼付装置。
【請求項５】
前記制御部は、前記第１検出部により前記傾斜搬送用ラベル搬送部にラベルが検出された後、前記第２検出部により前記水平搬送用ラベル搬送部にラベルが検出されない場合には前記傾斜搬送用ラベル搬送部及び前記水平搬送用ラベル搬送部を作動させる制御を行うことを特徴とする請求項４に記載のラベル貼付装置。
【請求項６】
前記制御部は、前記第１検出部により前記傾斜搬送用ラベル搬送部にラベルが検出されず、且つ前記第２検出部により前記水平搬送用ラベル搬送部にラベルが検出された場合に、前記傾斜搬送用ラベル搬送部の上流側で印字発行されたラベルを、前記傾斜搬送用ラベル搬送部により、当該傾斜搬送用ラベル搬送部の下流側の一時待機位置まで搬送する制御を行うことを特徴とする請求項４または請求項５に記載のラベル貼付装置。
【請求項７】
前記傾斜搬送用ラベル搬送部と前記水平搬送用ラベル搬送部の間に、前記傾斜搬送用ラベル搬送部と前記水平搬送用ラベル搬送部を架け渡す連結部材を備え、
前記連結部材は上面にラベル摺接面を有することを特徴とする請求項３から請求項６のいずれか１項に記載のラベル貼付装置。
【請求項８】
前記吸着保持部は、前記傾斜搬送用ラベル搬送部の搬送面に対向する面側、前記水平搬送用ラベル搬送部の搬送面に対向する面側に配置され、ラベルを各搬送面に吸着させる負圧を生成する負圧生成部を有することを特徴とする請求項３から請求項７のいずれか１項に記載のラベル貼付装置。
【請求項９】
前記傾斜搬送用ラベル搬送部は、前記水平搬送用ラベル搬送部の搬送面よりも下方に配置され、当該傾斜搬送用ラベル搬送部の搬送面は、下流側よりも上流側が低い位置となるように前記水平面に対して傾斜していることを特徴とする請求項３から請求項８のいずれか１項に記載のラベル貼付装置。
【請求項１０】
前記ラベルロールは、台紙レスラベルロールであり、
前記ラベル貼付装置は、前記ラベル用紙の印字面に印字項目を印字する印字手段と、
前記ラベル用紙を、前記印字手段により印字される印字項目の印字情報量に応じたラベル発行方向の長さとなるように、枚葉状に切断する切断手段と、
を備えたことを特徴とする請求項１から９のいずれか１項に記載のラベル貼付装置。
【請求項１１】
請求項１から請求項１０のいずれか１項に記載のラベル貼付装置を備え、前記ラベル貼付装置と通信回線を介して通信可能に接続された包装装置側制御部を有することを特徴とする包装装置。
【発明の詳細な説明】
【技術分野】
【０００１】
本発明は、ラベル貼付装置、及び包装装置に関する。
【背景技術】
【０００２】
従来、一般的な底貼りラベルプリンタの機構は、被貼付物の商品を搬送する商品搬送用コンベアと、その商品搬送用コンベアの搬送面よりも下方に配置され、印字されたラベルを、商品搬送用コンベアの搬送面まで搬送する、傾斜した搬送部を有するラベル搬送用コンベアとを有する。この装置では、ラベルの搬送を一つの搬送装置で行う。
従来、一般的な底貼りラベルプリンタの機構は、所定長さのラベルを搬送して商品の底面にラベルを貼付する（例えば、特許文献１参照）。
【０００３】
また、このラベルプリンタでは、搬送されてくる商品のタイミングに合わせて、所定の項目を印字したラベルがラベル搬送用コンベアにより搬送され、商品搬送用コンベアにより搬送される商品の底面（下面）に貼付される（ラベルなで貼り方式）。
【先行技術文献】
【特許文献】
【０００４】
【特許文献１】特許第４４９３７８８号公報
【発明の概要】
【発明が解決しようとする課題】
【０００５】
しかしながら、従来の底貼りラベルプリンタは、予め規定された所定長さのラベルを搬送して、商品の底面にラベルを貼付する機構を有するものであり、例えば、ラベルに印字されるデータ量に応じてラベル発行方向の長さが可変長になる台紙レスラベルを用いて商品の底面にラベル底貼する場合、印字するデータ量によっては規定長さ以上のラベルが発行される場合があり、従来技術そのままの機構では、可変長に発行されるラベルを商品の底面に貼付するのが困難であった。また、所定長さのラベルを用いて底貼りを行う場合であったとしても、食品表示法等の改正によってはラベルに印字しなければならない情報（データ量）が多い場合が想定され、このような場合には規定長さ以上のラベルに変える必要があるが、従来技術そのままの機構では、印字するラベルを規定長さ以上のラベルに変更することが困難であった。
【０００６】
また、底貼り（下貼り）ラベルプリンタにおいて、沢山の商品の底面にラベル貼付する場合、商品の底部にラベルを貼付可能な処理数の向上が望まれている。
【課題を解決するための手段】
【０００７】
本発明のラベル貼付装置は、少なくとも以下の構成を具備するものである。
一方面が印字面、他方面が粘着面からなるラベル用紙を巻回したラベルロールを繰り出し、該繰り出したラベル用紙の粘着面が上向きとなるように枚葉状のラベルを発行し、被貼付物の底面にラベルを貼付させるラベル貼付装置であって、
前記発行されたラベルの粘着面の略全領域を露出させた状態で、前記被貼付物の底面にラベルを貼付するためのラベル待機位置に、前記ラベルを保持し待機させるラベル貼付待機領域部を有することを特徴とする。
【０００８】
また、本発明の包装装置は、上記発明のラベル貼付装置を備え、そのラベル貼付装置と通信回線を介して通信可能に接続された包装装置側制御部を有する。
【発明の効果】
【０００９】
本発明によれば、印字情報量に応じて可変長となる台紙レスラベルや規定長さ以上のラベルであったとしても、高効率で、商品の底面等の所定の面に正しく貼付可能な、簡単な構造のラベル貼付装置を提供することができる。
また、本発明によれば、短時間に商品の底面等の所定の面にラベルを貼付処理可能な処理数が多いラベル貼付装置を提供することができる。
また、本発明によれば、上記ラベル貼付装置を備えた包装装置を提供することができる。
【図面の簡単な説明】
【００１０】
【図１】本発明の実施形態に係るラベル貼付装置の一例を示す部分透視斜視図。
【図２】本発明の実施形態に係るラベル貼付装置の一例を示す部分透視正面図。
【図３】本発明の実施形態に係るラベル貼付装置の一例を示す図、（ａ）はラベル貼付装置の平面図、（ｂ）〜（ｆ）はラベル貼付装置により発行及び搬送されるラベルの一例を示す図。
【図４】ラベル貼付装置の要部の一例を示す正面図。
【図５】ラベル貼付装置の一例を示す斜視図。
【図６】ラベル貼付装置の第１ラベル搬送部と第２ラベル搬送部等の一例を示す平面図。
【図７】ラベル貼付装置の第１ラベル搬送部、第２ラベル搬送部、負圧生成部等の一例を示す図。
【図８】第１ラベル搬送部と第２ラベル搬送部の間に設けられる連結部材の一例を示す図、（ａ）は連結状態、（ｂ）は非連結状態を示す図。
【図９】商品にラベルを貼付する動作の一例を示す図、（ａ）はラベル待機位置のラベルが商品の底部に貼付される前の状態を示す図、（ｂ）は商品の底面にラベルが貼付された状態の一例を示す図。
【図１０】本発明の実施形態に係るラベル貼付装置と包装装置の一例を示す図。
【図１１】本発明の実施形態に係るラベル貼付装置と包装装置の電気的な機能ブロックの一例を示す図。
【図１２】ラベルの一例を示す図、（ａ）は商品に貼付される上貼り用ラベルの一例を示す図、（ｂ）は商品に貼付される底貼り用ラベルの一例を示す図。
【図１３】ラベル貼付装置の動作の一例を示すフローチャート。
【図１４】本発明の実施形態に係るラベル貼付装置の動作の一例を示す図、（ａ）は初期のラベル発行直後の状態を示す図、（ｂ）は第１ラベル搬送部によるラベル搬送の動作を説明するための図。
【図１５】本発明の実施形態に係るラベル貼付装置の動作の一例を示す図、（ａ）は第１ラベル搬送部から第２ラベル搬送部へラベルが移動した状態の一例を示す図、（ｂ）は第１ラベル搬送部の一時待機位置にラベルが吸着保持され、且つ第２ラベル搬送部の待機位置にラベルが吸着保持され、第１ラベル搬送部及び第２ラベル搬送部が停止した状態を示す図。
【図１６】本発明の実施形態に係るラベル貼付装置の動作の一例を示す図、（ａ）は第２ラベル搬送部のラベル待機位置のラベルが商品の底部に貼付された後、そのラベルが取り除かれた状態、（ｂ）は第１ラベル搬送部の一時待機位置のラベルが第２ラベル搬送部のラベル待機位置に移動して吸着保持され、次に発行されたラベルが第１ラベル搬送部の一時待機位置に移動して吸着保持された状態の一例を示す図。
【発明を実施するための形態】
【００１１】
本発明の実施形態に係るラベル貼付装置は、一方面が印字面、他方面が粘着面からなるラベル用紙を巻回した台紙レスラベルロールから繰り出されたラベル用紙（台紙レスラベル用紙）に印字を行い、粘着面が正対視上向きとなる枚葉状のラベル（台紙レスラベルともいう）を発行する。ラベル貼付装置は、ラベル搬送手段として第１ラベル搬送部（傾斜搬送用ラベル搬送部）、及び第２ラベル搬送部（水平搬送用ラベル搬送部）、並びにラベルの印字面側を搬送面に吸着保持する吸着保持部を有する。第１ラベル搬送部は、搬送方向の上流から下流側に亘り水平面に対して傾斜した搬送面を有し、ラベルを搬送面に沿って下流側へ搬送する。第２ラベル搬送部は、第１ラベル搬送部から搬送されたラベルを受け取り、受け取ったラベルの印字面側を吸着保持部により水平面と平行な搬送面に吸着保持した状態でラベル待機位置まで搬送するとともに、そのラベルをラベル待機位置（ラベル貼付待機領域部）で保持する。
【００１２】
また、ラベル貼付装置は、第１ラベル搬送部のラベルの存否を検出する第１検出部と、第２ラベル搬送部のラベルの存否を検出する第２検出部と、制御部とを有する。制御部は、第１検出部でラベルを検出し且つ第２検出部でラベルが検出された場合に第１ラベル搬送部及び第２ラベル搬送部を停止し、第１検出部でラベルが検出され且つ第２検出部でラベルが検出されない場合に、第１ラベル搬送部及び第２ラベル搬送部を作動する。
【００１３】
以下、本発明の実施形態に係るラベル貼付装置、及び包装装置を、図面を参照しながら説明する。本発明の実施形態は図示の内容を含むが、これのみに限定されるものではない。尚、以後の各図の説明で、既に説明した部位と共通する部分は同一符号を付して重複説明を一部省略する。
【００１４】
本実施形態では、ラベル貼付装置は、可変長の台紙レスラベル（ライナレスラベル）を発行し、被貼付物としての商品の下面（底面）などの所定の面にラベルを貼付するラベル下貼り装置（ラベル底貼り装置）を説明する。ラベルの底貼り（下貼り）の種類としては、おきばり、なでばり等があるが、本実施形態では、おきばり用のラベル貼付装置を説明する。おきばりとは、ラベルの粘着面が上面、印字面が下面となるように配置されたラベルに対して、ユーザ（操作者）が商品の底部などの所定の面等をラベルの粘着面に当接して、ラベルを商品の底面などに貼付する態様である。ラベル貼付装置をラベル発行装置ともいう。
【００１５】
図１〜図７に示したように、本発明の実施形態に係るラベル貼付装置１００は、略直方体形の筐体部１０１内に、台紙レスラベルロールＲを回転自在に支持するロール支持部１０２が設けられており、台紙レスラベルロールＲを収容している。台紙レスラベルロールＲは、一方面が印字面ｂ、他方面が粘着面ａからなるラベル用紙ＬＡが巻回した構造を有する。尚、図１、図２では、筐体部１０１の内部に収容されている構成要素の一部分を透過して示している。
【００１６】
また、筐体部１０１は、内部に印字部７（プリンター部）、カッタユニットＣＵ、ラベル押圧ファン１４Ｆ、ラベル搬送部２００などを有する。本実施形態では、ラベル搬送手段としてのラベル搬送部２００は、無端ベルトや回転軸（プーリ）などにより構成されるコンベア等の第１ラベル搬送部２１０（傾斜搬送用ラベル搬送部）、及びコンベア等の第２ラベル搬送部２２０（水平搬送用ラベル搬送部）を有する。台紙レスラベルロールＲから引き出されたラベル用紙ＬＡは、回転軸１０３を介して印字部７に入力される。各ラベル搬送部の詳細な構成について後述する。
【００１７】
印字部７は、印字ヘッド８、プラテンローラ８ａ（第１プラテンローラ）、サブプラテンローラ８ｂ（第２プラテンローラ）などを有する。カッタユニットＣＵは、切断部１０としての可動刃１０ａ及び固定刃１０ｂ（カッタ）を有する。切断部１０は、制御部の制御により印字情報量に応じた長さ（可変長）にラベル用紙を切断する。また、筐体部１０１の内部には、潤滑油を貯蔵するタンクＴＣが設けられており、タンクＴＣから給油管（不図示）を介して切断部１０の固定刃や可動刃に潤滑油が塗布されるように、ラベル貼付装置が構成されている。
【００１８】
ラベル押圧ファン１４Ｆは、カッタユニットＣＵの開口部のラベル発行口付近の下流側近傍に設けられており、発行された枚葉状のラベルＬに上方から下方へ搬送面に向かって送風することにより、枚葉状のラベルの反り上がりによる正規の軌道からのズレを防止する。
【００１９】
また、ラベル押圧ファン１４Ｆの側面の下側部分には、枚葉状のラベルの反り上がりを物理的に規制する傾斜部材１４５が設けられている。傾斜部材１４５の表面は、粘着層を有するラベルの付着の防止や、粘着剤の付着を防止するために、非粘着性を有することが好ましい。また、例えば、傾斜部材１４５の表面にフッ素樹脂加工により形成されたフッ素樹脂層を設ける、非粘着性材料により傾斜部材１４５を形成する、傾斜部材１４５の表面を凹凸形状にする、などにより非粘着性を実現してもよい。
【００２０】
また、各ラベル搬送部の搬送面上には、ラベルやラベルの粘着剤の付着を防止するために、非粘着部材ＮＡを設けることが好ましい。非粘着部材ＮＡも同様に、表面にフッ素樹脂加工により形成されたフッ素樹脂層を設ける、非粘着性材料により非粘着部材ＮＡを形成する、非粘着部材ＮＡの表面を凹凸形状にする、などにより非粘着性を実現してもよい。
【００２１】
発行された枚葉状のラベルは、ラベル搬送部２００により、筐体部１０１の上部の略中央部に設けられたラベル貼付待機領域部２７７（ラベル貼付待機領域２２７ａ）のラベル待機位置ＰＢに搬送され、搬送面に吸着保持された状態で待機する。ラベル貼付待機領域２２７ａは、軸２２１と軸２２２の間の略矩形状の領域である。筐体部１０１のラベル待機位置ＰＢの周囲には、複数のローラ１０５が配置されている。例えば、ラベル待機位置ＰＢに配置されているラベルに対して、商品の底面などを当接させてラベルを貼付した後、商品を搬送方向下流側の次の搬送路などへ移動させる場合、複数のローラ１０５が回転可能に配置されているので、商品移動時の摩擦抵抗が小さい。
尚、ユーザ（操作者）は、商品にラベルを貼付した後、商品を持ち上げて、所定の商品保管場所へ載置してもよい。
【００２２】
また、筐体部１０１の第２ラベル搬送部２２０の搬送下流側には、矩形状の可動部材１０６が設けられている。この可動部材１０６は、上流側端部が筐体部１０１に軸支されており、通常時には上面が水平状態となっており、上面を下方へ加圧時に、下流側端部１０６ｔが下方へ移動して傾斜状態となる。上面への加圧がなくなった場合、付勢部（不図示）により可動部材１０６の上面が水平状態に戻るように構成されている。
例えば、比較的長い可変長のラベルが発行された場合、詳細には、ラベルの端部が可動部材１０６の下流側端部１０６ｔに位置するほど長い可変長のラベルが発行された場合、可動部材１０６の上面部分が拡張ラベル貼付待機領域２７７ｂとして機能する。すなわち、ラベル貼付待機領域２７７ａと拡張ラベル貼付待機領域２２７ｂを合わせた比較的広い領域がラベル貼付待機領域部２７７となる（図３、図６等参照）。このラベル貼付待機領域部２７７のラベル待機位置ＰＢに長いラベルが待機している場合であっても、長いラベルを被貼付物へ容易に正確に貼付することができる。また、ラベル貼付後、商品を搬送方向下流側の次の搬送路などへ移動させる場合、商品の押圧により可動部材１０６が傾斜状態となり、商品を簡単に下流側へ移動させることができる。
【００２３】
また、筐体部１０１の上面には、ラベル待機位置ＰＢと略同じ高さの矩形状の平坦部１０１ｋ、ラベル待機位置ＰＢよりも一段低い高さの平坦部１０１Ｌが設けられている。ユーザ（操作者）が商品を手に持ち、商品の底面等をラベル待機位置ラベルに押し付けてラベルを貼付する際に、商品と平坦部１０１Ｌとの間にユーザ（操作者）の指などが入るスペースが確保される構造となっている。すなわち、商品の底面側にラベルを貼付し易い構造となっている。
【００２４】
詳細には、図３（ａ）に示したように、ラベル貼付装置１００の筐体部１０１の上面には、平坦部１０１Ｌ、平坦部１０１ｋ、略中央部に配置された第２ラベル搬送部２２０、第２ラベル搬送部２２０のラベル待機位置ＰＢよりも搬送下流側の位置（図３の右側位置）に設けられた矩形状の可動部材１０６、第２ラベル搬送部２２０や可動部材１０６の周囲に回転自在に設けられたローラ１０５などが形成されている。
【００２５】
また、図３（ａ）、図４、図５、図６に示したように、第２ラベル搬送部２２０には、所定間隔だけ離れて回転自在に架設された軸２２１及び軸２２２と、複数の無端ベルト２２３Ａ〜２２３Ｄなどを有する。一対の軸２２１、軸２２２にはそれぞれプーリが設けられており、複数の無端ベルト２２３（２２３Ａ〜２２３Ｄ）が一対の軸２２１，２２２のプーリ間に張設されている。
【００２６】
また、図６に示したように、第２ラベル搬送部の無端ベルト２２３を回転駆動させる駆動モータ１２Ｍの回転軸１２ＲＡの先端部に設けられたプーリ１２Ｐと、軸２２２との間には、無端ベルト２２３Ｔが張設されており、駆動モータ１２Ｍの動力により無端ベルト２２３が回転可能に構成されている。
【００２７】
また、第２ラベル搬送部２２０の搬送面２２０ａの所定位置（略中央部）には、発光部や受光部等で構成された第２検出センサ２２が設けられている。第２検出センサ２２は、第２ラベル搬送部２２０の搬送面２２０ａ上のラベル待機位置ＰＢにおけるラベルＬの存否を検出する。
【００２８】
第３検出センサ２３は、第２ラベル搬送部２２０の搬送面２２０ａにおいて、第２検出センサ２２よりも所定距離だけ搬送上流側の位置（図３の左側位置）に設けられている。第３検出センサ２３は、例えば、発光部や受光部等で構成されている。第３検出センサ２３は、第１ラベル搬送部２１０から第２ラベル搬送部２２０へラベルＬが搬送されたか否かを検出する。また、第３検出センサ２３の配置位置は、第２ラベル搬送部２２０のラベル待機位置の上流側上限位置を規定する。
【００２９】
本発明の実施形態に係るラベル貼付装置は、例えば、図３（ｂ）〜図３（ｆ）に示したように、各種サイズの台紙レスラベルを発行可能に構成されている。詳細には、図３（ｂ）〜図３（ｄ）に示したように、ラベルの幅（ラベル搬送方向に直交する方向の幅）が異なるラベルＬ１〜Ｌ３を発行可能である。本実施形態では、第２ラベル搬送部では、無端ベルト２２３Ａ〜２２３Ｄが規定された間隔で並んで配置されており、幅の異なる各ラベルＬ１、Ｌ２、Ｌ３が発行される場合であっても、少なくとも２つ以上の無端ベルトにて、そのラベルＬ１〜Ｌ３を搬送可能に構成されている。
【００３０】
また、図３（ｂ）、図３（ｅ）、図３（ｆ）に示したように、ラベルの印字面に印字される印字情報量に応じてラベル搬送方向の長さが可変長となる台紙レスラベルＬ１、Ｌ４、Ｌ５等を発行可能である。
【００３１】
図５、図６に示したように、第１ラベル搬送部２１０には、所定間隔だけ離れて回転自在に架設された軸２１１及び軸２１２と、複数の無端ベルト２１３Ａ〜２１３Ｄなどを有する。一対の軸２１１、軸２１２にはそれぞれプーリが設けられており、複数の無端ベルト２１３（２１３Ａ〜２１３Ｄ）が一対の軸２１１，２１２のプーリ間に張設されている。
【００３２】
また、図６に示したように、第１ラベル搬送部２１０の無端ベルト２１３を回転駆動させる駆動モータ１１Ｍの回転軸１１ＲＡの先端部に設けられたプーリ１１Ｐと、軸２１１との間には、無端ベルト２１３Ｔが張設されており、駆動モータ１１Ｍの動力により無端ベルト２２３が回転可能に構成されている。
【００３３】
また、第１ラベル搬送部２１０の搬送面２１０ａの下流側位置には、発光部や受光部等で構成された第１検出センサ２１が設けられている。第１検出センサ２１は、第１ラベル搬送部２１０の搬送面２１０ａ上の一時待機位置ＰＡにおけるラベルＬの存否を検出する。詳細には、第１検出センサ２１の配置位置は、第１ラベル搬送部２１０の一時待機位置ＰＡの下流側下限位置を規定する。
【００３４】
また、図５、図６、図７等に示したように、本発明の実施形態に係るラベル貼付装置１００の吸着保持部は、ラベルＬの印字面側を第１ラベル搬送部２１０の搬送面２１０ａや第２ラベル搬送部２２０の搬送面２２０ａに吸着保持可能に構成されている。詳細には、吸着保持部は、隔壁１３１ｋ、第１ラベル搬送部２１０、第２ラベル搬送部２２０により囲まれる負圧室１３１と、第１ラベル搬送部２１０の搬送面２１０ａや第２ラベル搬送部２２０の搬送面２２０ａに設けられた通気孔１３ｈと、第１ラベル搬送部２１０の搬送面２１０ａに対向する面側、且つ第２ラベル搬送部２２０の搬送面２２０ａに対向する面側に配置され、ラベルＬを第１ラベル搬送部２１０の搬送面や第２ラベル搬送面に吸着させる負圧を生成する負圧生成部（負圧発生源）としての吸引ファン１３Ｆ，１３Ｆを有する。
【００３５】
複数の通気孔１３ｈは、各無端ベルトの間の搬送面に複数並んで配置されており、搬送されるラベルが異なるサイズであっても、搬送面に確実に吸着し易い構造となっている。
【００３６】
本実施形態では、図７等に示したように、遠心ファンの吸引ファン１３Ｆを２つ並んで配置したことにより、第１ラベル搬送部２１０や第２ラベル搬送部２２０に形成された複数の通気孔１３ｈから略均一に吸気することで、各搬送面で略均一な吸引力となるように構成されている。
【００３７】
図５、図６、図８に示したように、本発明の実施形態に係るラベル貼付装置１００は、第１ラベル搬送部２１０と第２ラベル搬送部２２０の間に、第１ラベル搬送部２１０と第２ラベル搬送部２２０を架け渡す連結部材８０を備える。この連結部材８０は上面にラベル摺接面８０ａを有する。詳細には、第１ラベル搬送部２１０の下流側の軸２１２と、第２ラベル搬送部２２０の上流側の軸２２１は、所定の隙間をあけて平行に配置されている。連結部材８０は、第１ラベル搬送部２１０の下流側の軸２１２と、第２ラベル搬送部２２０の上流側の軸２２１との間に配置され、軸２１２と軸２２１とを架け渡すように設けられている。
この連結部材８０は、図８（ａ）、図８（ｂ）に示すように、第１ラベル搬送部２１０の下流側の軸２１２と、第２ラベル搬送部２２０の上流側の軸２２１とを連結した状態、または非連結状態とすることができる。
例えば、メンテナンス時に、図８（ｂ）に示したように連結部材８０を非連結状態とすることで、第２ラベル搬送部２２０と、第１ラベル搬送部２１０とを分離、分解して、パーツの修理や交換等のメンテナンスを容易に行うことができる。
【００３８】
図９は、第２ラベル搬送部２２０のラベル待機位置ＰＢに吸着保持されたラベルＬに商品Ｔの底面を押圧して、ラベルを底面に貼付する動作の一例を示す図である。
本実施形態では、ユーザＵ（操作者）は、商品Ｔを手で持ち、ラベル貼付装置の第２ラベル搬送部２２０のラベル待機位置ＰＢに配置されたラベルＬに商品Ｔの底面を押圧する、いわゆる、おきばりを行う。
ラベルＬは、粘着面ａが上部に、印字面ｂが下部に位置するように配置されているので、商品Ｔの底面をラベルに押圧することにより、容易にラベルを貼付することができる。
また、予め規定されたラベル待機位置ＰＢにラベルＬが保持されているので、ユーザは目視によりラベル位置を確認することでき、商品の底部の所定位置にラベルを確実に高精度に貼付することができる。
【００３９】
次に、本発明の実施形態に係るラベル貼付装置を有する包装装置の一例を説明する。
図１０に示した包装装置３００には、本体部Ａの正面側に操作表示部ｈ（操作部及び表示部）が配置され、下部に商品を載置する載置部ＭＰが設けられ、載置部には商品の質量を計量する計量部が設けられている。計量部による商品の計量後、包装装置内部に設けられた包装機構により、商品がフィルムで包装され、上貼り用ラベル発行部３２０により発行された上貼り用ラベルが、上貼り用ラベル貼付装置（不図示）により商品の上面に貼付される。
そして、包装装置３００の本体部Ａの中央部付近に商品Ｔが排出される。
【００４０】
本実施形態では、図１０に示したように、包装装置３００の前面左側位置に、ラベル貼付装置１００が配置されている。
例えば、ユーザ（操作者）は、包装装置３００から商品Ｔを手にとって、ラベル貼付装置１００の上面中央部付近のラベル待機位置で吸着保持されている、裏貼り用ラベルに対して、商品の裏面などの所定の面を押圧することにより、商品に裏貼り用ラベルが貼付される。
【００４１】
尚、ラベル貼付装置１００の配置位置は、任意の場所であってよい。ユーザ（操作者）により使用しやすい位置に配置されてもよい。
【００４２】
また、図１０に示した実施形態では、包装装置３００とラベル貼付装置１００が別体であったが、包装装置３００とラベル貼付装置１００が一体型であってもよい。
また、ラベル貼付装置１００は、包装装置３００と協働して、商品にラベルが貼付される態様であってもよいし、包装装置なしで単独で使用される態様であってもよい。
【００４３】
また、図１０に示した例では、商品上面に上貼り用ラベルが貼付された商品に対して、下貼り用ラベルが貼付される態様であったが、上貼り用ラベルが貼付されずに、ラベル貼付装置１００により発行される下貼り用ラベルのみを商品に貼付する態様であってもよい。
【００４４】
図１１は本発明の実施形態に係るラベル貼付装置１００を有する包装装置３００の電気的な機能ブロックの一例を示す図である。
【００４５】
ラベル貼付装置１００は、制御部１（ＣＰＵ）、記憶部２（ＲＯＭ３、ＲＡＭ４）、通信部としての通信インタフェース５（ＩＮＦ）、印字部用のインタフェース６、印字部７（印字ヘッド８、モータ９）、切断部１０、第１搬送駆動部１１、第２搬送駆動部１２、吸引ファン駆動部１３、ラベル押圧ファン駆動部１４、ラベル剥離センサ２０、第１検出センサ２１（第１検出部）、第２検出センサ２２（第２検出部）、第３検出センサ２３（第２検出部）、などを有する。
制御部１、記憶部２、インタフェース５、印字部用のインタフェース６、第１搬送駆動部１１、第２搬送駆動部１２、吸引ファン駆動部１３、ラベル押圧ファン駆動部１４、各種センサ類（２０〜２３）は、通信線２５により通信可能に接続されている。
【００４６】
制御部１は、ラベル貼付装置１００の各構成要素を統括的に制御する。詳細には、制御部１は、制御用のプログラムを実行することにより、本発明に係る機能をコンピュータとしてのラベル貼付装置に実現させる。
【００４７】
記憶部２はＲＯＭ３やＲＡＭ４などの記憶装置を有し、制御用のプログラム（ＰＲＧ）や、各種データなどが記憶されている。各種データとしては、ラベルのサイズ、印字項目などラベル発行に係る情報を挙げることができる。
【００４８】
通信インタフェース５（ＩＮＦ）は、制御部１の制御により、包装装置３００の通信用インタフェース回路３０２（ＩＮＦ）を介してデータ通信を行う。
【００４９】
印字部用のインタフェース６は、印字部７及び切断部１０と、制御部１との間のインタフェースである。
【００５０】
印字部７は、印字ヘッド８、モータ９などを有する。印字ヘッド８は、制御部１の制御により、ラベル用紙の印字面に印字項目などを印字する。モータ９は、制御部１の制御により、プラテンローラなどを回転駆動する。
【００５１】
切断部１０は、固定刃、可動刃、可動刃を駆動する駆動機構などを有し、制御部１の制御により、ラベル用紙を印字項目の情報量に応じた長さに切断することで、可変長のラベルを発行する。
【００５２】
第１搬送駆動部１１は、第１ラベル搬送部２１０の無端ベルトを回転駆動させるための駆動モータ１１Ｍを、制御部１の制御により駆動する。
【００５３】
第２搬送駆動部１２は、第２ラベル搬送部２２０の無端ベルトを回転駆動させるための駆動モータ１２Ｍを、制御部１の制御により駆動する。
【００５４】
吸引ファン駆動部１３は、制御部１の制御により、第１ラベル搬送部及び第２ラベル搬送部に近設される負圧室内から空気を負圧室外へ排出させるための吸引ファン１３Ｆを駆動するものである。
【００５５】
ラベル押圧ファン駆動部１４は、制御部１の制御により、印字部７及び切断部１０の下流側、且つ第１ラベル搬送部２１０の上流側の上方に設けられたラベル押圧ファン１４Ｆを駆動する。ラベル押圧ファン１４Ｆは、印字発行されたラベルに下方へ向けて送風することでラベルの反り上がりなどを防止し、ラベルを第１ラベル搬送部２１０の搬送面側に確実に吸着させる。
【００５６】
ラベル剥離センサ２０は、印字部７及び切断部１０の下流側、且つ第１ラベル搬送部２１０の上流側の上方に設けられ、ラベル発行口から発行されるラベルの存否を検出し、検出結果を示す信号を制御部１へ出力する。
【００５７】
第１検出センサ２１は、第１ラベル搬送部２１０の上流側位置に配置され、ラベルの存否を検出し、検出結果を示す信号を制御部１へ出力する。第１検出センサ２１は、一時待機位置ＰＡの下限位置（搬送方向下流側の下限位置）に対応する位置に設けられている。
【００５８】
第２検出センサ２２は、第２ラベル搬送部２２０の搬送面の略中央部に配置され、枚葉状のラベルＬの存否を検出し、検出結果を示す信号を制御部１へ出力する。第２検出センサ２２は、ラベル待機位置ＰＢの上限位置（搬送方向上流側の上限位置）に対応する位置に設けられている。
【００５９】
第３検出センサ２３は、第２ラベル搬送部２２０の搬送面のうち、第２検出センサ２２よりも上流側位置に配置され、枚葉状のラベルＬの存否を検出し、検出結果を示す信号を制御部１へ出力する。
【００６０】
詳細には、本実施形態では、搬送方向に移動するラベルＬが第３検出センサ２３及び第２検出センサ２２により検出された後、さらに搬送方向に移動して、第３検出センサ２３で検出されずに、第２検出センサでラベル検出された場合に、枚葉状のラベルがラベル待機位置ＰＢに位置するとする。すなわち、本実施形態では、第２検出部として、第２検出センサ２２と、さらに第３検出センサ２３を有するので、ラベル位置を高精度に検出することができる。
【００６１】
制御部１は、上述したように、制御用のプログラムを実行することにより、本発明に係る機能をコンピュータとしてのラベル貼付装置に実現させる。
詳細には、制御部１は、第１検出部（第１検出センサ２１）により第１ラベル搬送部２１０にラベルＬが検出され且つ第２検出部の第２検出センサ２２により第２ラベル搬送部２２０にラベルＬが検出された場合には第１ラベル搬送部２１０及び第２ラベル搬送部２２０の無端ベルトを停止する制御を行う。
また、制御部１は、第１検出部（第１検出センサ２１）により第１ラベル搬送部２１０にラベルＬが検出され且つ第２検出部の第２検出センサ２２により第２ラベル搬送部２２０にラベルＬが検出されない場合には第１ラベル搬送部２１０及び第２ラベル搬送部２２０の無端ベルトを作動させる制御を行う。
【００６２】
また、制御部１は、第１検出部（第１検出センサ２１）により第１ラベル搬送部２１０にラベルＬが検出されず、且つ第２検出部（第２検出センサ２２）により第２ラベル搬送部２２０にラベルＬが検出された場合に、第１ラベル搬送部２１０の上流側で印字発行されたラベルを、第１ラベル搬送部２１０により、当該第１ラベル搬送部２１０の下流側の一時待機位置ＰＡまで搬送する制御を行う。
【００６３】
図１１に示したように、包装装置３００は、商品をフィルムにより包装する包装部、上貼り用ラベル発行部３２０、上貼り用ラベル貼付部３３０などを有する。また、本実施形態では、ラベル貼付装置１００を備える包装装置３００は、各構成要素が協働して、商品へのフィルム包装、ラベル発行、ラベル貼付などの処理を行う。
【００６４】
詳細には、包装装置３００は、ＣＰＵ３０１（包装装置側制御部）、通信用インタフェース回路３０２（ＩＮＦ）、ＲＯＭ３０３、ＲＡＭ３０４、操作部３０５、表示部３０６、計量部３０７、及び機構駆動部３０８、上貼り用ラベル発行部３２０、上貼り用ラベル貼付部３３０などを有する。各構成要素はバス（データ通信線など）３１５を介して通信可能に接続されている。
【００６５】
ＣＰＵ３０１は、包装装置３００の各構成要素を統括的に制御する。ＣＰＵ３０１は、商品へのフィルム包装、ラベル発行、ラベル貼付などに関する処理を行う。
【００６６】
通信用インタフェース回路３０２（ＩＮＦ）は、ラベル貼付装置１００の制御部１と各種データ、指令の通信を行なうための回路である。すなわち、ＣＰＵ３０１（包装装置側制御部）は、ラベル貼付装置１００と通信回線（有線式通信路又は無線式通信路）を介して通信可能に接続されている。
【００６７】
ＲＯＭ３０３は、ＣＰＵ３０１が実行する制御プログラムを記憶している。
ＲＡＭ３０４は、ＣＰＵ３０１がＲＯＭ３０３の制御プログラム（ＰＲＧ）を実行する場合に用いる各種レジスタ及びフラグのエリアの他に、商品の形状データ（縦、横、高さ）に基づいて制御データを決定するための各種テーブル等が記憶されている。
操作部３０５は、装置の起動、停止等のためのスイッチ、所定の設定を行うためのタッチパネルなどである。
表示部３０６は、液晶型表示装置や有機ＥＬ型表示装置などであり、各種の設定画面や操作画面をＣＰＵ３０１の制御により表示する。
計量部３０７は、載置部に載置された商品の質量（重量）を計量し、計量データをＣＰＵ３０１に出力する。
【００６８】
機構駆動部３０８は、包装を実行する場合に包装装置の各機構部を駆動するための回路で、具体的には商品を上下方向に搬送するエレベータを駆動するモータ３０９、被包装物（商品）を搬入するプッシャコンベアの搬入モータ３１０、フィルムフィード機構のフィルム移送モータ３１１などを有し、さらに、被包装物の横幅、高さ、長さ等を検出する各種センサが接続されており、検出データをＣＰＵ３０１へ出力するように構成されている。
【００６９】
上貼り用ラベル発行部３２０は、ラベル用紙に印字項目を印字する印字部、ラベル用紙を所定長さに切断する切断部などを有し、ＣＰＵ３０１の制御により商品の上面などに貼付される枚葉状の上貼り用ラベルを発行する。
【００７０】
上貼り用ラベル貼付部３３０は、ラベル吸着部やラベル貼付機構などを有し、上貼り用ラベル発行部３２０により発行された上貼り用ラベルを、包装部によりフィルム包装された商品Ｔの上面などに貼付する。
【００７１】
上述した包装装置３００の商品包装に関する動作、上貼り用ラベル発行に関する動作、上貼り用ラベルの貼付に関する動作の詳細な説明については、従来の動作と略同じであるので省略する。尚、
【００７２】
次に、本発明の実施形態に係るラベル貼付装置１００を備える包装装置３００により発行されるラベルの一例を説明する。
包装装置３００の上貼り用ラベル発行部３２０は、例えば、図１２（ａ）に示した商品に関する上貼り用ラベルを発行する。包装装置３００に設けられているラベル貼付部３３０は、上貼り用ラベルを、包装された商品の上面側に貼付する。
上貼り用ラベルには、例えば、牛肉などの商品名、商品の本体価格、商品の重量（質量）、商品の消費期限情報、販売店名、連絡先、商品情報を示すバーコードなどのコード情報等、が印字されている。上貼り用ラベルは、台紙レスラベルであってもよいし、台紙付きラベルであってもよい。
また、上貼り用ラベルは、可変長ラベルであってもよいし、固定長のラベルであってもよい。本実施形態では、ラベルの幅Ｘ1は、設定されたラベル用紙ロールと同じ幅、予め設定された長さであり、ラベルの印字方向（搬送方向）の長さＹ1は、印字項目の情報量に応じた長さ（可変長）である。
【００７３】
ラベル貼付装置１００（裏貼り用ラベル貼付装置）は、例えば、図１２（ｂ）に示したような、底貼り用ラベルを発行する。底貼り用ラベルは、可変長ラベルであってもよいし、固定長のラベルであってもよい。本実施形態では、このラベルの幅Ｘ2は、筐体内に収容されたラベルロールと同じ幅であり、ラベルの印字方向（搬送方向）の長さＹ2は、印字項目の情報量に応じた長さ（可変長）である。
底貼り用ラベルは、商品の底面等の目立ちにくい位置に貼付される。底貼り用ラベルに印字される商品情報としては、上貼り用ラベルに印字される商品情報よりも比較的優先順位の低い情報などである。
本実施形態では、底貼り用ラベルには、図１２（ｂ）に示したように、商品として牛肉などの食品の栄養成分情報、保存に係る留意事項、トレーサビリティ情報、それらの情報に関連付けられるバーコードや２次元コード（コード情報）などが印字されている。
【００７４】
次に、図１３〜図１６等を参照しながら、本発明の実施形態に係るラベル貼付装置の動作の一例を説明する。本実施形態では、初期状態では、第１ラベル搬送部２１０は停止状態、第２ラベル搬送部２２０は停止状態である。
【００７５】
ステップＳ１１において、制御部１は、第１ラベル検出部により第１ラベル搬送部２１０にラベルが検出されず、且つ、第２検出部（第２検出センサ２２、第３検出センサ２３）により第２ラベル搬送部２２０にラベルが検出されていない条件を満たすか否かを判別し、その条件が満たされている場合（例えば、図１４（ａ）参照）、ステップＳ１２の処理に進み、条件が満たされていない場合、ステップＳ１４の処理に進む。
【００７６】
ステップＳ１２において、制御部１は、ラベル剥離センサ２０により、第１ラベル搬送部２１０の上流側に、発行されたラベルＬが検出されたか否かを判別し、ラベルが検出された場合にステップＳ１３の処理に進み、それ以外の場合にステップＳ１４の処理に進む。
【００７７】
ステップＳ１３において、制御部１は、第１ラベル搬送部２１０を作動し、且つ第２ラベル搬送部２２０を停止する制御を行う（例えば、図１４（ａ）参照）。
【００７８】
ステップＳ１４において、制御部１は、第１検出部（第１検出センサ２１）により第１ラベル搬送部２１０の一時待機位置にラベルを検出し、且つ第２検出部（第２検出センサ２２、第３検出センサ２３）により、第２ラベル搬送部２２０の所定位置（ラベル待機位置）に枚葉状のラベルＬが検出されない条件を満たすか否かを判別し、その条件が満たされている場合（例えば、図１４（ｂ）参照）、ステップＳ１５の処理に進み、その条件が満たされていない場合にステップＳ１６の処理に進む。
【００７９】
ステップＳ１５において、制御部１は、第１ラベル搬送部２１０を作動し、且つ第２ラベル搬送部２２０を作動する制御を行う（例えば、図１４（ｂ）参照）。
【００８０】
ステップＳ１６において、制御部１は、第１検出部（第１検出センサ２１）により第１ラベル搬送部２１０の一時待機位置にラベルが検出されず、且つ第２検出部（第２検出センサ２２、第３検出センサ２３）により第２ラベル搬送部２２０の所定位置（ラベル待機位置）に枚葉状のラベルＬが検出される条件を満たすか否かを判別し、その条件を満たす場合（例えば、図１５参照）、ステップＳ１７の処理に進み、その条件を満たさない場合にステップＳ１８の処理に進む。
【００８１】
ステップＳ１７において、制御部１は、第１ラベル搬送部２１０を作動し、且つ第２ラベル搬送部２２０を停止する処理を行う（例えば、図１５参照）。詳細には、第１ラベル搬送部２１０の無端ベルトが回転して枚葉状のラベルＬが搬送方向に搬送される。
尚、ステップＳ１７において、印字手段（印字部７）等によりラベルが発行されていない場合、制御部１は、第１ラベル搬送部２１０の作動を保留する制御を行い、印字手段（印字部７）等によりラベルが発行された場合に、その保留を解除して、第１ラベル搬送部２１０を作動させる制御を行う。制御部１は、ラベル発行の確認処理に関し、ラベル剥離センサ２０の検出結果や、印字部、切断部等の動作に基づいて判断を行う。
【００８２】
ステップＳ１８において、制御部１は、第１検出部（第１検出センサ２１）により第１ラベル搬送部２１０の一時待機位置にラベルが検出され、且つ第２検出部（第２検出センサ２２、第３検出センサ２３）によりラベル待機位置にラベルＬが検出されている条件を満たすか否かを判別し、その条件が満たされている場合にステップＳ１９の処理に進み、その条件が満たされていない場合にステップＳ１１の処理に進む。
【００８３】
ステップＳ１９において、制御部１は、第１ラベル搬送部２１０を停止させ、且つ第２ラベル搬送部２２０を停止させる制御を行う。つまり、第２ラベル搬送部２２０のラベル待機位置ＰＢに枚葉状のラベルＬが吸着保持された状態で待機し、第２ラベル搬送部２２０に配置されているラベルＬの次に発行されたラベルＬが、第１ラベル搬送部２１０の一時待機位置ＰＡに一時的に待機した状態である。
例えば、第２ラベル搬送部２２０のラベル待機位置ＰＢで待機しているラベルＬに対して、ユーザ（操作者）により把持された商品の底面等が押圧され、その商品ＴにラベルＬが貼付される（例えば、図９、図１６等参照）。
そして、第１ラベル搬送部２１０の一時待機位置で待機していたラベルＬを、第２ラベル搬送部２２０のラベル待機位置ＰＢに吸着保持部により吸着保持した状態で搬送し、そのラベル待機位置ＰＢで吸着保持部により吸着保持される。
また、次に発行されたラベルＬが、第１ラベル搬送部２１０により一時待機位置ＰＡまで、吸着保持部により吸着保持された状態で搬送され、そのラベルＬが一時待機位置ＰＡで吸着保持部により吸着保持された状態で一時待機する。
【００８４】
尚、ラベル貼付装置１００の制御部１や、包装装置３００のＣＰＵ３０１（包装装置側制御部）により、次のラベルの発行のタイミング（印字部による印字処理、及び切断部による用紙の切断処理等のタイミング）、印字項目等が制御される。
例えば、第１ラベル搬送部２１０からラベルＬが第２ラベル搬送部２２０へ移動したタイミングで、次のラベルが発行されるように、各制御部（ＣＰＵ）が制御を行ってもよい。
尚、印字部によりラベル用紙に印字項目が印字された状態で、且つ、切断部により切断されていない状態でラベル発行処理を保留し、第１ラベル搬送部２１０を作動制御する場合に、切断部により上記印字されたラベル用紙を切断することにより、ラベルを発行してもよい。
【００８５】
以上、説明したように、本発明の実施形態に係るラベル貼付装置１００は、一方面が印字面、他方面が粘着面からなるラベル用紙を巻回した台紙レスラベルロールから繰り出されたラベル用紙ＬＡに印字部７により印字を行い、粘着面が正対視上向きとなる枚葉状のラベルを発行する。このラベル貼付装置１００は、発行されたラベルの粘着面の略全領域を露出させた状態で、被貼付物の底面にラベルを貼付するためのラベル待機位置に、ラベルを保持し待機させるラベル貼付待機領域部２２７（２２７ａ、２２７ｂ）を有する。
すなわち、印字情報量に応じて可変長となる台紙レスラベルや規定長さ以上のラベルであったとしても、高効率で、商品の底面等の所定の面に正しく貼付可能な、簡単な構造のラベル貼付装置を提供することができる。また、短時間に商品の底面等の所定の面にラベルを貼付処理可能な処理数が多いラベル貼付装置を提供することができる。
【００８６】
詳細には、ラベル貼付装置１００は、第１ラベル搬送部２１０（傾斜搬送用ラベル搬送部）と、第２ラベル搬送部２２０（水平搬送用ラベル搬送部）と、ラベルの印字面側を搬送面に吸着保持する吸着保持部１３０と、などを有する。
なお、本発明の実施形態では、台紙レスラベルロールを用いて例示したがこれに限らず、例えば、台紙に規定長さ以上のラベルが仮着された台紙付きのラベルロールを用いてもよい。この場合、ラベルロールの台紙から剥離されたラベルの長さが規定長さ以上となるが、前述までの一方面が印字面、他方面が粘着面からなるラベル用紙を巻回した台紙レスラベルロールから繰り出されたラベル用紙ＬＡに印字部７により印字を行い、粘着面が正対視上向きとなる枚葉状のラベルを発行する制御と同じように、交換されたラベルロールに仮着されたラベルのラベル発行方向のサイズが交換された際、あるいは、交換後に自動または手動の何れかにおいてラベル発行方向のラベルサイズが設定されれば、同様の制御を行うことができる。
第１ラベル搬送部２１０は、搬送方向の上流から下流側に亘り水平面に対して傾斜した搬送面２１０ａを有し、ラベルＬを搬送面２１０ａに沿って下流側へ搬送する。
第２ラベル搬送部２２０は、第１ラベル搬送部２１０から搬送されたラベルＬを受け取り、受け取ったラベルＬの印字面側を吸着保持部１３０により水平面と平行な搬送面２２０ａに吸着保持した状態でラベル待機位置ＰＢまで搬送するとともに、当該ラベルＬをラベル待機位置ＰＢで保持する。
【００８７】
すなわち、本発明の実施形態に係るラベル貼付装置１００は、２系統のラベル搬送部を有し、それらが協働して所定のタイミングでラベルを高効率で搬送することができる。
また、第２ラベル搬送部２２０のラベル待機位置ＰＢでラベルＬが待機している状態であっても、ラベル貼付装置１００の印字部７により次の商品に貼付されるラベルを発行して、第１ラベル搬送部２１０の下流側位置の一時待機位置ＰＡに一時的に待機させることができ、ラベル待機位置ＰＢのラベルＬを商品に貼付した後、第１ラベル搬送部２１０の一時待機位置ＰＡのラベルを短時間で、第２ラベル搬送部２２０のラベル待機位置ＰＢに搬送することができる。ゆえに、所定時間内でラベル貼付処理可能な処理数が比較的多い。
【００８８】
また、第２ラベル搬送部２２０のラベル待機位置ＰＢで、ラベルＬの粘着面が上面側となるように搬送面に対して静止した状態で吸着保持されているので、ユーザが商品の底部等の被貼付面をラベルＬに押圧してラベルを貼付する場合に、ラベルの待機位置を容易に確実に認識させることが可能であり、ラベルを商品の被貼付面の所定の位置に高精度に貼付させることができる。
【００８９】
また、印字情報量に応じて可変長となる台紙レスラベルを、高効率で、商品の底面などの所定の面に正しく貼付可能な、簡単な構造のラベル貼付装置を提供することができる。
【００９０】
また、ラベルＬが吸着保持部１３０により搬送面側に吸着保持された状態で、第１ラベル搬送部２１０や第２ラベル搬送部２２０により高精度に搬送することができる。
【００９１】
また、本発明の実施形態に係るラベル貼付装置１００は、第１ラベル搬送部２１０の搬送下流側に配置され、搬送される枚葉状のラベルＬの存否を検出する第１検出部（第１検出センサ２１）と、第２ラベル搬送部２２０において枚葉状のラベルＬの存否を検出する第２検出部（第２検出センサ２２）と、制御部１などを有する。
制御部１は、第１検出部により第１ラベル搬送部２１０にラベルＬが検出された後、第２検出部により第２ラベル搬送部２２０にラベルＬが検出された場合には第１ラベル搬送部２１０及び第２ラベル搬送部２２０を停止する制御を行う。
【００９２】
すなわち、第２ラベル搬送部２２０のラベル待機位置ＰＢで、ラベルＬが吸着保持部１３０により搬送面２２０ａに吸着保持された状態で待機し、且つ、第１ラベル搬送部２１０の一時待機位置ＰＡで、ラベルＬが吸着保持部１３０により搬送面２１０ａに吸着保持された状態で一時待機した状態では、第１ラベル搬送部２１０及び第２ラベル搬送部２２０が停止している。
ユーザが、第２ラベル搬送部２２０のラベル待機位置ＰＢに停止して配置されているラベルＬに対して、商品の底部等を押圧することで、簡単に商品の所定位置にラベルを高精度に貼付することができる。
また、上記ラベル待機状態では、第１ラベル搬送部２１０と第２ラベル搬送部２２０が停止しているので、ラベル貼付装置１００の待機電力が小さい。
【００９３】
また、制御部１は、第１検出部（第１検出センサ２１）により第１ラベル搬送部２１０にラベルＬが検出された後、第２検出部（第２検出センサ２２）により第２ラベル搬送部２２０にラベルＬが検出されない場合には、第１ラベル搬送部２１０及び第２ラベル搬送部２２０を作動させる制御を行う。
すなわち、ユーザにより商品の底部等に、第２ラベル搬送部２２０のラベル待機位置ＰＢのラベルＬが貼付され、ラベル待機位置ＰＢのラベルＬが取り除かれた場合、第１ラベル搬送部２１０の下流側位置の一時待機位置ＰＡで一時待機しているラベルＬが、第１ラベル搬送部２１０から第２ラベル搬送部２２０のラベル待機位置ＰＢに短時間に移動することができる。ゆえに、所定時間内でラベル貼付処理可能な処理数が比較的多いラベル貼付装置を提供することができる。
【００９４】
また、本発明の実施形態に係るラベル貼付装置１００の制御部１は、第１検出部（第１検出センサ２１）により第１ラベル搬送部２１０にラベルＬが検出されず、且つ第２検出部（第２検出センサ２２）により第２ラベル搬送部２２０にラベルＬが検出されている場合に、第１ラベル搬送部２１０により、第１ラベル搬送部２１０の上流側で印字発行されたラベルを、当該第１ラベル搬送部２１０の下流側の一時待機位置ＰＡまで搬送する制御を行う。
すなわち、第２ラベル搬送部２２０のラベル待機位置に位置するラベルＬが取り除かれた場合に、次に発行され、第１ラベル搬送部２１０の下流側の一時待機位置ＰＡで待機しているラベルＬが、第２ラベル搬送部２２０のラベル待機位置ＰＢに短時間に移動することができる。ゆえに、短時間に下貼り用ラベルを商品の底面などに貼付可能な処理数が多い。
【００９５】
また、本発明の実施形態に係るラベル貼付装置１００は、第１ラベル搬送部２１０と第２ラベル搬送部２２０の間に、第１ラベル搬送部２１０と第２ラベル搬送部２２０を架け渡す連結部材８０を備える。この連結部材８０は上面にラベル摺接面８０ａを有する。
詳細には、第１ラベル搬送部２１０の下流側の軸２１２と、第２ラベル搬送部２２０の上流側の軸２２１は、所定の隙間をあけて平行に配置されている。連結部材８０は、第１ラベル搬送部２１０の下流側の軸２１２と、第２ラベル搬送部２２０の上流側の軸２２１との間に配置され、軸２１２と軸２２１とを架け渡すように設けられている。
負圧室は外部の大気圧に対して負圧に設定されているので、各ラベル搬送部の上方から、軸２２１と軸２１２との間の隙間を介して負圧室内へ空気の流れが生じている。
比較例として、例えば、連結部材８０が設けられていない場合、ラベルが第１ラベル搬送部２１０から第２ラベル搬送部２２０へ、それらの間の隙間を跨いで移動する際に、負圧による下方向への力がラベルに加わり、不安定な状態となり、規定の軌道から外れる虞がある。
本発明の実施形態では、連結部材８０が設けられているので、ラベルが第１ラベル搬送部２１０から第２ラベル搬送部２２０へ搬送される場合、それらの間の隙間を跨ぐ際に、負圧による下方向へ力がラベルに加わる状態であっても、ラベルが連結部材８０の上面であるラベル摺接面８０ａに一部分摺接することで、規定の軌道から外れることなく、第１ラベル搬送部２１０から第２ラベル搬送部２２０へ安定した状態で移動することができる。
【００９６】
また、本発明の実施形態では、ラベルロールは台紙レスラベルロールであり、ラベル貼付装置１００は、ラベル用紙の印字面に印字項目を印字する印字手段としての印字部７と、ラベル用紙を、印字手段（印字部７）により印字される印字項目の印字情報量に応じたラベル発行方向の長さとなるように、枚葉状に切断する切断手段としての切断部１０などを更に有する。第１ラベル搬送部２１０は、切断手段（切断部１０）で切断された可変長の枚葉状のラベルを搬送し、第２ラベル搬送部２２０は、その枚葉状のラベルをラベル待機位置へ搬送して、吸着保持することができる。
すなわち、簡単な構造で、可変長のラベルを、効率よくラベル待機位置へ搬送し、短時間に多くの処理可能なラベル貼付装置を提供することができる。
【００９７】
また、本発明の実施形態に係るラベル貼付装置１００の吸着保持部は、隔壁１３１ｋ、第１ラベル搬送部２１０、第２ラベル搬送部２２０により囲まれる負圧室１３１と、第１ラベル搬送部２１０、及び第２ラベル搬送部２２０の各搬送面に形成された通気孔と、第１ラベル搬送部２１０の搬送面に対向する面側、第２ラベル搬送部２２０の搬送面に対向する面側に配置され、ラベルＬを各搬送面に吸着させる負圧を生成する負圧生成部（負圧発生源）としての吸引ファンと、を有する。
すなわち、吸着保持部は、第１ラベル搬送部や第２ラベル搬送部の各搬送面に形成された通気孔それぞれから吸引することで、ラベルを搬送面側に吸着させることができ、第１ラベル搬送部及び第２ラベル搬送部により搬送面側にラベルを吸着させた状態で搬送することができる。
吸引ファン１３Ｆとしては、遠心ファン（シロッコファンやターボファン）、軸流ファンなどの所定のファンを採用してもよい。本実施形態では、シロッコファンなどの遠心ファンを採用したので、気流が渦状となる軸流ファンと比較して、気流が渦状になりにくく、高い静圧であり、第１ラベル搬送部や第２ラベル搬送部の各搬送面に形成された通気孔１３ｈそれぞれの吸引力を略均一にすることができる。
【００９８】
また、本発明の実施形態に係るラベル貼付装置において、第１ラベル搬送部２１０は、第２ラベル搬送部２２０の搬送面よりも下方に配置されている。第１ラベル搬送部２１０の搬送面は、下流側よりも上流側が低い位置となるように水平面に対して傾斜している。
すなわち、印字部７で印字され切断部により枚葉状に切断されて発行された可変長のラベルは、第１ラベル搬送部２１０の傾斜した搬送面を斜め上方向に移動した後、第２ラベル搬送部２２０の水平面に平行な搬送面をラベル待機位置まで移動した後、ラベル待機位置で吸着保持される。
本実施形態では、第２ラベル搬送部２２０のラベル待機位置は、例えば、ユーザ（操作者）の腰の高さ付近となるように設定されており、第１ラベル搬送部２１０や印字部、切断部などは、ラベル待機位置よりも下方に設けられており、小型のラベル貼付装置１００を提供することができる。
【００９９】
また、本発明の実施形態では、ラベルロールとして台紙レスラベルロールを採用し、ラベル貼付装置１００は、ラベル発行機能を有し、詳細には、ラベル用紙の印字面に印字項目を印字する印字手段（印字部７）と、ラベル用紙を、印字手段（印字部７）により印字される印字項目の印字情報量に応じたラベル発行方向の長さとなるように、枚葉状に切断する切断手段（切断部１０）とを備える。
すなわち、上記ラベル貼付装置１００は、印字手段によりラベルを発行し、切断部によりラベル用紙を切断し、枚葉状のラベルを発行することができる。
【０１００】
また、本発明の実施形態に係る包装装置は、上記ラベル貼付装置１００を備え、そのラベル貼付装置１００と通信回線（有線式通信路又は無線式通信路）を介して通信可能に接続された包装機構側制御部を有する。本実施形態では、包装装置は、商品に対してフィルムの包装を行う包装機構、上貼り用ラベルのラベル発行部、上貼り用ラベル貼付部を有し、包装機構側制御部が包装機構の動作タイミング、上貼り用ラベル発行部のラベルの発行タイミング、上貼り用ラベル貼付部による商品へのラベルの貼付タイミング、上貼り用ラベルの印字内容などの包装装置に関する各種制御を行うとともに、ラベル貼付装置１００の制御部１と協働して、上記ラベル貼付装置１００の下貼り用ラベルの発行タイミングや下貼り用ラベルの印字内容、第１ラベル搬送部や第２ラベル搬送部のラベル搬送等に関する各種制御を行う。
すなわち、商品の包装、商品へ貼付される上貼りラベルや下貼りラベルの発行などを簡単な構成で行うことができる包装装置を提供することができる。
【０１０１】
なお、本実施形態において、第１ラベル搬送部と第２ラベル搬送部と分けて構成したがこれに限らず、第１ラベル搬送部と第２ラベル搬送部とを一体的に構成し、各々が独立し連動して実施例のごとくラベルを搬送させるようにしてもよい。
また、本実施形態において、第１ラベル搬送部、第２ラベル搬送部におけるラベル搬送手段としてのラベル搬送部２００は、複数の無端ベルト２１３Ａ〜２１３Ｄや回転軸（プーリ）などにより構成されるコンベア等の第１ラベル搬送部２１０（傾斜搬送用ラベル搬送部）、及びコンベア等の第２ラベル搬送部２２０（水平搬送用ラベル搬送部）として構成させたがこれに限らず、発行されたラベル（剥離されたラベルまたは枚葉状に切断されたラベル）を挟む挟持部材（ベルト間にラベルを挟む、又はラベル端部をクリップする等）によってラベルを搬送する形態や、第１ラベル搬送部２１０、第２ラベル搬送部２２０における搬送面２２０ａの吸着面がラベルを吸着させた状態で、吸着面そのものが搬送方向へ移動してラベルを搬送するような形態であってもよい。この場合、吸着面そのものが所定の孔を有する無端ベルトとして構成させ、第１ラベル搬送部および第２ラベル搬送部各々に組み付け、その所定の孔を有する無端ベルトにラベルを吸着保持させた状態でラベル搬送方向へ回転移動させることによってラベルを搬送する。この場合も前述と同様に、第１ラベル搬送部と第２ラベル搬送部とを一体的に構成し、各々が独立し連動して実施例のごとくラベルを搬送させるようにしてもよい。
また、本実施形態において、第１ラベル搬送部と第２ラベル搬送部とによりラベルを搬送させるように構成したがこれに限らず、例えば、第１ラベル搬送部をラベル発行装置（印字においてラベルの糊面側を上向きにした状態でラベルに印字を施しラベル発行させる構成とし、ラベル発行装置のプラテンローラ等が第１ラベル搬送部に相当する）として組み付け、そのラベル発行装置のラベル発行口と第２ラベル搬送部とを連接（また連結、連動）させて組み付け、ラベル発行装置から発行されたラベルを第２ラベル搬送部が受け取り、受け取ったラベルの粘着面の略全領域を露出させた状態で、被貼付物の底面にラベルを貼付するためのラベル待機位置であるラベル貼付待機領域部に、ラベルを搬送し保持待機させるようにしてもよい。
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【０１０２】
尚、本実施形態では、包装装置の包装装置側制御部と、下貼り用のラベル貼付装置１００の制御部とが協働して、ラベル貼付装置１００のラベル発行に関する、印字内容やラベル発行タイミング、ラベル搬送タイミングなどを制御する態様であったが、この形態に限られるものではない。
例えば、ラベル貼付装置１００は、ラベル発行やラベル搬送に関する処理をラベル貼付装置１００単体で行ってもよいし、ラベル貼付装置１００に接続される外部コンピュータにより、ラベル発行やラベル搬送に関する処理を制御してもよい。
【符号の説明】
【０１０３】
１…制御部
２…記憶部
５…通信インタフェース
７…印字部
８…印字ヘッド
９…モータ
１０…切断部
１１…第１搬送駆動部
１２…第２搬送駆動部
１３…吸引ファン駆動部
１４…ラベル押圧ファン駆動部
２０…ラベル剥離センサ
２１…第１検出センサ（第１検出部）
２２…第２検出センサ（第２検出部）
２３…第３検出センサ（第２検出部）
８０…連結部材
８０ａ…ラベル摺接面
１００…ラベル貼付装置（ラベル発行装置）
１３０…吸着保持部
１３１…負圧室
２００…ラベル搬送部（ラベル搬送手段）
２１０…第１ラベル搬送部（傾斜搬送用ラベル搬送部）
２１０ａ…搬送面
２１１…軸
２１２…軸
２１３…無端ベルト
２２０…第２ラベル搬送部（水平搬送用ラベル搬送部）
２２０ａ…搬送面
２２１…軸
２２２…軸
２２３…無端ベルト
２２７…ラベル貼付待機領域部
２２７ａ…ラベル貼付待機領域
２２７ｂ…拡張ラベル貼付待機領域
３００…包装装置
３０１…ＣＰＵ（包装装置側制御部）
３０２…通信インタフェース
３１５…通信線
３２０…ラベル発行部
３３０…ラベル貼付部
ＰＡ…一時待機位置
ＰＢ…ラベル待機位置
ａ…粘着面
ｂ…印字面
【図１】
2018034848.tif 000003
【図２】
2018034848.tif 000004
【図３】
2018034848.tif 000005
【図４】
2018034848.tif 000006
【図５】
2018034848.tif 000007
【図６】
2018034848.tif 000008
【図７】
2018034848.tif 000009
【図８】
2018034848.tif 000010
【図９】
2018034848.tif 000011
【図１０】
2018034848.tif 000012
【図１１】
2018034848.tif 000013
【図１２】
2018034848.tif 000014
【図１３】
2018034848.tif 000015
【図１４】
2018034848.tif 000016
【図１５】
2018034848.tif 000017
【図１６】
2018034848.tif 000018